(57)【要約】【課題】異なる径の刈刃にも対応使用可能となる草刈り機用刈刃カバーを提供すること。【解決手段】草刈り機Ｔの把手杆１に取付可能な取付部４の先端部に刈刃カバー部５が設けられ、取付部４は、先端部に刈刃カバー部５が設けられている上側半体６と、下側半体７とから成り、上側半体６に設けた取付孔８に挿通した締付具９を、下側半体７に設けた螺着部10に螺着して締付けることにより把手杆１に取付部４が被嵌状態で取付けられるように構成され、下側半体７は、上側半体６に対する固定向きを変更可能に構成されていて、この下側半体７の上側半体６に対する固定向きの変更により、異なる径の刈刃２に対応させて把手杆１の先端部に対する刈刃カバー部５の突出度を切替え可能に構成されている草刈り機用刈刃カバー。【選択図】図４
2019106912.tif 000002
【特許請求の範囲】
【請求項１】
作業者が操作する把手杆の先端部に刈刃が回転可能に設けられている草刈り機に取付けて使用する草刈り機用刈刃カバーであって、前記草刈り機の把手杆に被嵌取付可能な取付部の先端部に、前記刈刃の上面より離間状態で配設されると共に、外周縁が刈刃の外側まで突出する形状の刈刃カバー部が設けられ、前記取付部は、先端部に前記刈刃カバー部が設けられ前記把手杆に対し上方から被嵌する上側半体と、前記把手杆に対し下方から被嵌する下側半体とから成り、上側半体若しくは下側半体に設けられている取付孔に挿通した締付具を、下側半体若しくは上側半体に設けられている螺着部に螺着して締付けることにより、上側半体と下側半体が固定されて前記把手杆に取付部が被嵌状態で取付けられるように構成され、前記下側半体は、前記上側半体に対する固定向き若しくは固定位置を変更可能に構成されていて、この下側半体の上側半体に対する固定向き若しくは固定位置の変更により、異なる径の前記刈刃に対応させて把手杆の先端部に対する前記刈刃カバー部の突出度を切替え可能に構成されていることを特徴とする草刈り機用刈刃カバー。
【請求項２】
前記下側半体は、前記螺着部若しくは前記取付孔がこの下側半体の先端寄り位置に設けられていて、この下側半体を、その先端部と基端部の向きを反転させて前記把手杆に被嵌することにより、螺着部若しくは取付孔の位置を前記把手杆の長さ方向に移動可能に構成され、この把手杆に対する螺着部若しくは取付孔の移動により、下側半体と固定する前記上側半体の把手杆に対する被嵌位置を把手杆の長さ方向に移動させて、把手杆の先端部に対する前記刈刃カバー部の突出度を切替え可能に構成されていることを特徴とする請求項１記載の草刈り機用刈刃カバー。
【請求項３】
前記把手杆の先端側に、前記刈刃の作業者側を覆うようにして切断物や石などの飛散を防止する飛散防止カバーが設けられている前記草刈り機に取付けて使用する草刈り機用刈刃カバーであって、前記下側半体は、先端部と基端部に前記飛散防止カバーに当接させる位置決め当接部が設けられ、この位置決め当接部を飛散防止カバーに当接させつつ前記把手杆に被嵌させた下側半体に前記上側半体を固定すると、前記刈刃カバー部が前記刈刃の上面より離間し且つ刈刃カバー部の外周縁が刈刃の外側まで突出する使用位置に配設するように構成され、この下側半体は、前記螺着部若しくは前記取付孔がこの下側半体の先端寄り位置に設けられていて、先端部と基端部の向きを反転させて前記位置決め当接部を前記飛散防止カバーに当接させつつ前記把手杆に被嵌させることにより、螺着部若しくは取付孔の位置を前記把手杆の長さ方向に移動可能に構成され、この把手杆に対する螺着部若しくは取付孔の移動により下側半体と固定する前記上側半体の把手杆に対する被嵌位置を把手杆の長さ方向に移動させて、異なる径の前記刈刃に対応させて前記刈刃カバー部の前記使用位置を変更し得るように構成されていることを特徴とする請求項１，２のいずれか１項に記載の草刈り機用刈刃カバー。
【請求項４】
前記刈刃カバー部は、複数の保護腕が放射方向に突出する形状に形成されていると共に、この複数の保護腕の突出先端部が前記草刈り機の刈刃の外側まで突出する形状に形成されていることを特徴とする請求項１〜３のいずれか１項に記載の草刈り機用刈刃カバー。
【発明の詳細な説明】
【技術分野】
【０００１】
本発明は、草刈り機に取付けて使用する草刈り機用刈刃カバーに関するものである。
【背景技術】
【０００２】
従来から、草刈り機の把手杆の先端部に取付けて使用する草刈り機用刈刃カバーとして、下記非特許文献１が実施されている。
【０００３】
この非特許文献１を簡単に説明すると、草刈り機の把手杆の先端部に取付けられた刈刃の上方に離間して設けられるもので、前記把手杆の先端部に取付けられる取付部と、この取付部から前記刈刃の径方向外側まで放射状に突設される複数の保護腕部とを有していて、複数の保護腕部により人体等への重大な事故を防止できると共に、刈刃が石などの障害物に接触することによる破損も回避でき、刈刃に当たった小石等の飛散防止効果も発揮できるという利点があった。
【先行技術文献】
【特許文献】
【０００４】
【非特許文献１】三陽金属株式会社ホームページ、製品一覧、“エルバ  チップのカバー”、［online］、［平成２９年１２月１２日検索］、インターネット＜URL：http://www.sanyo-mt.co.jp/item/item0035.html＞
【発明の概要】
【発明が解決しようとする課題】
【０００５】
本発明は、上記非特許文献１のような草刈り機用刈刃カバーの改良に係るもので、把手杆の先端部に対する刈刃カバー部の突出度を切替えて異なる径の刈刃にも対応使用可能となる実用性に優れた草刈り機用刈刃カバーを提供するものである。
【課題を解決するための手段】
【０００６】
添付図面を参照して本発明の要旨を説明する。
【０００７】
作業者が操作する把手杆１の先端部に刈刃２が回転可能に設けられている草刈り機Ｔに取付けて使用する草刈り機用刈刃カバーＡであって、前記草刈り機Ｔの把手杆１に被嵌取付可能な取付部４の先端部に、前記刈刃２の上面より離間状態で配設されると共に、外周縁が刈刃２の外側まで突出する形状の刈刃カバー部５が設けられ、前記取付部４は、先端部に前記刈刃カバー部５が設けられ前記把手杆１に対し上方から被嵌する上側半体６と、前記把手杆１に対し下方から被嵌する下側半体７とから成り、上側半体６若しくは下側半体７に設けられている取付孔８に挿通した締付具９を、下側半体７若しくは上側半体６に設けられている螺着部10に螺着して締付けることにより、上側半体６と下側半体７が固定されて前記把手杆１に取付部４が被嵌状態で取付けられるように構成され、前記下側半体７は、前記上側半体６に対する固定向き若しくは固定位置を変更可能に構成されていて、この下側半体７の上側半体６に対する固定向き若しくは固定位置の変更により、異なる径の前記刈刃２に対応させて把手杆１の先端部に対する前記刈刃カバー部５の突出度を切替え可能に構成されていることを特徴とする草刈り機用刈刃カバーに係るものである。
【０００８】
また、前記下側半体７は、前記螺着部10若しくは前記取付孔８がこの下側半体７の先端寄り位置に設けられていて、この下側半体７を、その先端部と基端部の向きを反転させて前記把手杆１に被嵌することにより、螺着部10若しくは取付孔８の位置を前記把手杆１の長さ方向に移動可能に構成され、この把手杆１に対する螺着部10若しくは取付孔８の移動により、下側半体７と固定する前記上側半体６の把手杆１に対する被嵌位置を把手杆１の長さ方向に移動させて、把手杆１の先端部に対する前記刈刃カバー部５の突出度を切替え可能に構成されていることを特徴とする請求項１記載の草刈り機用刈刃カバーに係るものである。
【０００９】
また、前記把手杆１の先端側に、前記刈刃２の作業者側を覆うようにして切断物や石などの飛散を防止する飛散防止カバー３が設けられている前記草刈り機Ｔに取付けて使用する草刈り機用刈刃カバーＡであって、前記下側半体７は、先端部と基端部に前記飛散防止カバー３に当接させる位置決め当接部11が設けられ、この位置決め当接部11を飛散防止カバー３に当接させつつ前記把手杆１に被嵌させた下側半体７に前記上側半体６を固定すると、前記刈刃カバー部５が前記刈刃２の上面より離間し且つ刈刃カバー部５の外周縁が刈刃２の外側まで突出する使用位置Ｐに配設するように構成され、この下側半体７は、前記螺着部10若しくは前記取付孔８がこの下側半体７の先端寄り位置に設けられていて、先端部と基端部の向きを反転させて前記位置決め当接部11を前記飛散防止カバー３に当接させつつ前記把手杆１に被嵌させることにより、螺着部10若しくは取付孔８の位置を前記把手杆１の長さ方向に移動可能に構成され、この把手杆１に対する螺着部10若しくは取付孔８の移動により下側半体７と固定する前記上側半体６の把手杆１に対する被嵌位置を把手杆１の長さ方向に移動させて、異なる径の前記刈刃２に対応させて前記刈刃カバー部５の前記使用位置Ｐを変更し得るように構成されていることを特徴とする請求項１，２のいずれか１項に記載の草刈り機用刈刃カバーに係るものである。
【００１０】
また、前記刈刃カバー部５は、複数の保護腕13が放射方向に突出する形状に形成されていると共に、この複数の保護腕13の突出先端部が前記草刈り機Ｔの刈刃２の外側まで突出する形状に形成されていることを特徴とする請求項１〜３のいずれか１項に記載の草刈り機用刈刃カバーに係るものである。
【発明の効果】
【００１１】
本発明は上述のように構成したから、草刈り機の把手杆に、上方から取付部の上側半体を被嵌すると共に下方から取付部の下側半体を被嵌して締付具を締付けるだけの簡易操作で草刈り機に対し取付けでき、刈刃カバー部により人体への事故や刈刃の破損や刈刃に当たった小石等の飛散を防止でき、しかも、上側半体に対する下側半体の固定向き若しくは固定位置を変更することで、異なる径の刈刃に対応させて把手杆の先端部に対する刈刃カバー部の突出度を切替え可能であるなど、極めて実用性に優れた草刈り機用刈刃カバーとなる。
【００１２】
また、請求項２，３記載の発明においては、異なる径の刈刃に対応させて把手杆の先端部に対する刈刃カバー部の突出度を切替え可能な取付部を、簡易構成にして容易に設計実現可能となる一層実用性に優れた構成の草刈り機用刈刃カバーとなる。
【００１３】
また、特に請求項３記載の発明においては、位置決め当接部により下側半体を飛散防止カバーに対し位置決めするだけで、刈刃カバー部を適切な使用位置に配設可能となる一層実用性に優れた構成の草刈り機用刈刃カバーとなる。
【００１４】
また、請求項４記載の発明においては、複数の保護腕間に草を導入して刈刃による切断効果を高めることができると共に、刈刃中心部分に草が絡まることを防止できる一層実用性に優れた構成の草刈り機用刈刃カバーとなる。
【図面の簡単な説明】
【００１５】
【図１】本実施例を示す斜視図である。
【図２】本実施例の説明分解斜視図である。
【図３】本実施例の使用状態（草刈り機への取付状態）を示す斜視図である。
【図４】異なる径の刈刃を具備する草刈り機に対応させた本実施例の使用状態を示す説明側面図である。
【発明を実施するための形態】
【００１６】
好適と考える本発明の実施形態を、図面に基づいて本発明の作用を示して簡単に説明する。
【００１７】
本発明の草刈り機用刈刃カバーＡを、取付部４を介して草刈り機Ｔの把手杆１に取付けると、刈刃カバー部５が草刈り機Ｔの刈刃２の上面より離間状態で配設されると共に、この刈刃カバー部５の外周縁が刈刃２の外側まで突出して、この刈刃カバー部５により人体等への重大な事故を防止できると共に、草刈り機Ｔの刈刃２が石などの障害物に接触することによる破損も回避でき、また、刈刃２に当たった小石等の飛散も防止されることとなる。
【００１８】
具体的には、刈刃カバー部５を草刈り機Ｔの把手杆１の先端側に向けて把手杆１に上方から取付部４の上側半体６を被嵌すると共に、把手杆１に下方から取付部４の下側半体７を被嵌し、上側半体６若しくは下側半体７に設けられている取付孔８に挿通した締付具９を、下側半体７若しくは上側半体６に設けられている螺着部10に螺着して締付けると、上側半体６と下側半体７が固定されて取付部４が前記把手杆１に被嵌状態で取付けられる（本発明の草刈り機用刈刃カバーＡが、取付部４を介して草刈り機Ｔの把手杆１に取付けられる。）。
【００１９】
また、本発明の草刈り機用刈刃カバーＡは、上側半体６に対する下側半体７の固定向き若しくは固定位置を変更すると、把手杆１の先端部に対する前記刈刃カバー部５の突出度が切替わる。
【００２０】
そのため、この種の草刈り機Ｔは、排気量や馬力の大きさなどの違いによって直径の異なる刈刃２が採用されているものが多いが、本発明の草刈り機用刈刃カバーＡは、上側半体６に対する下側半体７の固定向き若しくは固定位置を変更することにより、異なる径の前記刈刃２に対応させて把手杆１の先端部に対する前記刈刃カバー部５の突出度を切替えて適切な使用位置Ｐに配設可能である。
【実施例】
【００２１】
本発明の具体的な実施例について図面に基づいて説明する。
【００２２】
本実施例は、図２〜図４に示すような、作業者が操作する把手杆１の先端部に円板状の刈刃２（チップソー）が回転可能に設けられ、この刈刃２の作業者側を覆うようにして切断物や石などの飛散を防止する円弧板状の飛散防止カバー３が前記把手杆１の先端寄り下方に垂設状態に設けられている草刈り機Ｔに取付けて使用する草刈り機用刈刃カバーＡであって、前記草刈り機Ｔの把手杆１に被嵌取付可能な取付部４の先端部に、前記刈刃２の上面より離間状態で配設されると共に、外周縁が刈刃２の外側まで突出する形状の刈刃カバー部５が設けられている。
【００２３】
本実施例の取付部４は、前記把手杆１に対し上方から被嵌する上側半体６と、前記把手杆１に対し下方から被嵌する下側半体７とから構成されている。
【００２４】
具体的には、上側半体６は、例えば合成樹脂製であって、図１〜図３に示すようなやや厚みのある平面視帯板状体に一体成形され、さらに下面側の先端部と基端部と基端側途中部とに丸棒状の前記把手杆１の外周面に上方から被嵌当接可能な半円弧状の上側抱持部14を有すると共に、先端部の上側抱持部14と隣接状態にして、把手杆１を圧入抱持支承可能な一対のクリップ腕部15を有する形状に成形されている。
【００２５】
また、この上側半体６の先端部には、前記刈刃カバー部５が一体成形されている。
【００２６】
ここで、刈刃カバー部５について説明すると、図１に示すように、前記上側半体６の先端部からやや幅広形状で延設形成（上側半体６と一体成形）される本体12に、この本体12の中心部から放射方向に向けて複数（図面は八本）の保護腕13が櫛歯状に突出する形状に形成（本体12と一体成形）されている。
【００２７】
また、本体12の中心部には、前記上側半体６を前記草刈り機Ｔの把手杆１の先端側に被嵌した際に、把手杆１先端部に設けられている刈刃２の駆動用ギアケース16を貫通配設させる貫通孔17が形成されている。
【００２８】
また、複数の保護腕13は、前記本体12の中心部を前記刈刃２の中心部に合致するように配した際に、夫々の外周縁の突出先端部が前記草刈り機Ｔの刈刃２の外側まで突出する形状に形成されている。さらに、この複数の保護腕13は、夫々の上面に断面山形状の隆起部18が一体成形されており、これにより保護腕13上に刈刃２で刈った草などが載ってもこの山形隆起部18に沿って落下排出され易く、保護腕13上に草などが溜まりにくくなるように構成されている。
【００２９】
下側半体７は、例えば金属製の方形状板材で構成され、図２に示すように対向両端部を除いた中間部が、丸棒状の前記把手杆１の外周面に下方から被嵌当接可能な半円筒状の下側抱持部19に成形されている。以下、本実施例では、この半円筒状の下側抱持部19の筒長さ方向を、下側半体７の長さ方向と定めて説明する。
【００３０】
また、この下側半体７は、その長さ方向と直交する方向の両側に存する（前記下側抱持部19の両側に存する）平帯板状部分が、前記上側半体６と固定するための固定代部20として構成され、この各固定代部20の長さ方向の両端部には、前記下側抱持部19の湾曲突出方向と逆方向に直角に折曲される延設片部を有して、この四箇所の折曲延設片部が、前記草刈り機Ｔの飛散防止カバー３（の取付用筒部）に当接させる位置決め当接部11として構成されている。即ち、本実施例の下側半体７は、その長さ方向の先端部（の二箇所）と基端部（の二箇所）とに、位置決め当接部11が設けられている。
【００３１】
この上側半体６と下側半体７との固定構造は、上側半体６の基端側途中部の前記上側抱持部14の両外側位置に取付孔８が貫通形成されている一方、下側半体７の両側の前記固定代部20の途中部に、前記取付孔８と対応させて螺着部10としてのナット10が付設され、前記取付孔８に挿通した締付具９としてのビス９を、前記螺着部10に螺着して締付けることにより上側半体６と下側半体７が固定されて、これにより上側半体６と下側半体７とで前記把手杆１を挟み込む形で把手杆１に対し取付部４が被嵌状態で取付可能に構成されている。尚、上側半体６に螺着部10が設けられ、下側半体７に取付孔８が設けられていても良い。
【００３２】
また、この際、下側半体７を飛散防止カバー３より基端側の前記把手杆１に被嵌して、下側半体７の前記位置決め当接部10を草刈り機Ｔの飛散防止カバー３（の取付用筒部）に当接させながらこの状態の下側半体７に上側半体６を固定すると（把手杆１に取付部４を取付けると）、前記刈刃カバー部５が前記刈刃２の上面より離間し且つ刈刃カバー部５の外周縁が刈刃２の外側まで突出する使用位置Ｐに配設されるように構成されている。
【００３３】
また、本実施例は、前記下側半体７は、前記上側半体６に対する固定向き若しくは固定位置を変更可能に構成されていて、この下側半体７の上側半体６に対する固定向き若しくは固定位置の変更により、異なる径の前記刈刃２に対応させて把手杆１の先端部に対する前記刈刃カバー部５の突出度を切替え可能に構成されている。
【００３４】
具体的には、下側半体７は、前記螺着部10がこの下側半体７の長さ方向の中間部より先端寄りの位置に設けられていて、この下側半体７を、その先端部と基端部の向きを反転させて前記位置決め当接部11を前記飛散防止カバー３（の取付用筒部）に当接させつつ前記把手杆１に被嵌させることにより、螺着部10の位置を前記把手杆１の長さ方向に移動可能に構成され、この把手杆１に対する螺着部10の移動により下側半体７と固定する前記上側半体６の把手杆１に対する被嵌位置を把手杆１の長さ方向に移動させて、異なる径の前記刈刃２に対応させて前記刈刃カバー部５の前記使用位置Ｐを前後二箇所に変更し得るように構成されている（図４参照）。
【００３５】
更に詳しくは、この種の草刈り機Ｔは、一般的に排気量や馬力の大きいものは直径２５５ｍｍの刈刃２が採用され、排気量や馬力の小さいものは直径２３０ｍｍの刈刃２が採用されているものが多いが、下側半体７の先端部の前記位置決め当接部11を前記飛散防止カバー３に当接させると（前記螺着部10が下側半体７の長さ方向の中間部より前記把手杆１の先端側に位置する状態で位置決め当接部11を飛散防止カバー３に当接させると）、この下側半体７に上側半体６を固定することにより、２５５ｍｍ径の刈刃２への使用に適した使用位置Ｐ１に刈刃カバー部５が配設され、上側半体６に対する下側半体７の固定向きを、その先端部と基端部の向きが逆になるように水平方向に１８０度反転させて基端部の前記位置決め当接部11を飛散防止カバー３に当接させると（前記螺着部10が下側半体７の長さ方向の中間部より前記把手杆１の基端側に位置する状態で位置決め当接部11を飛散防止カバー３に当接させると）、この下側半体７に上側半体６を固定することにより、２３０ｍｍ径の刈刃２への使用に適した使用位置Ｐ２に刈刃カバー部５が配設されるように（刈刃カバー部５の把手杆１に対する突出度が小さくなるように）、下側半体７への螺着部10の設置位置が設定構成されている。
【００３６】
尚、本発明は、本実施例に限られるものではなく、各構成要件の具体的構成は適宜設計し得るものである。
【００３７】
例えば、図示していないが、螺着部10が下側半体７若しくは上側半体６の複数箇所に設けられていて、この複数の螺着部10から締付具９の螺着位置を選択することにより下側半体７の上側半体６に対する固定位置を変更可能（把手杆１の先端部に対する前記刈刃カバー部５の突出度を切替えて使用位置Ｐを変更可能）に構成されていても良いし、取付孔８が長孔に形成されていて下側半体６と上側半体７とを相対的にスライド移動させることにより下側半体７の上側半体６に対する固定位置を変更可能に構成されていても良い。
【符号の説明】
【００３８】
１  把手杆
２  刈刃
３  飛散防止カバー
４  取付部
５  刈刃カバー部
６  上側半体
７  下側半体
８  取付孔
９  締付具
10  螺着部
11  位置決め当接部
13  保護腕
Ａ  草刈り機用刈刃カバー
Ｐ  使用位置
Ｔ  草刈り機
【図１】
2019106912.tif 000003
【図２】
2019106912.tif 000004
【図３】
2019106912.tif 000005
【図４】
2019106912.tif 000006